(57)【要約】      （修正有）【課題】ルアー用ヘッド部材の交換が容易に行える従来の機能を確保したうえで、より速やかに当該ルアー用ヘッド部材を海底に沈めることができ、ルアーのコントロールを行いやすい優れたルアー用ヘッド部材の提供。【解決手段】貫通穴２１と該貫通穴２１の内面から外部へ向けて開口するスリット２０を備える金属製の錘部材２と、貫通穴２１に着脱可能な管状部材３とを備える遊動式のルアー用ヘッド部材において、貫通穴２１は錘部材２の重心を通過せず、且つ、当該貫通穴２１は内径が一定のストレート穴であり、管状部材３は、その直径が錘部材２の貫通穴２１の内周面に当接する。【選択図】図３
0003205185.tif 000002
【実用新案登録請求の範囲】
【請求項１】
貫通穴と該貫通穴の内面から外部へ向けて開口するスリットを備える金属製の錘部材と、前記貫通穴に着脱可能な管状部材とを備える遊動式のルアー用ヘッド部材において、
前記貫通穴は錘部材の重心を通過せず、且つ、当該貫通穴は内径が一定のストレート穴であり、
前記管状部材は、その直径が前記錘部材の貫通穴の内周面に当接することを特徴とするルアー用ヘッド部材。
【請求項２】
前記管状部材は、一端の外面に鍔部を備え、該鍔部は当該管状部材の軸中心に回転非対称形状を有し、且つ前記錘部材の外面に沿う形状であることを特徴とする請求項１記載のルアー用ヘッド部材。
【請求項３】
前記管状部材は、前記貫通穴の両端に対して着脱可能な一対の管状部材であることを特徴とする請求項１又は２記載のルアー用ヘッド部材。
【請求項４】
前記一対の管状部材のうち、竿先側の管状部材の長さ寸法が、釣針側の管状部材の長さ寸法より大であることを特徴とする請求項３記載のルアー用ヘッド部材。
【請求項５】
前記錘部材のスリットは、当該スリットを構成し対抗する縁面相互が平行であり、且つスリット幅が０．２ｍｍ以上３．０ｍｍ以下であり、且つ、錘部材の貫通穴は、その内径が２．４ｍｍ以上５．０ｍｍ以下であることを特徴とする請求項１、２、３又は４記載のルアー用ヘッド部材。
【請求項６】
前記錘部材のスリットは、当該スリットを構成し対抗する縁面相互が平行であり、且つスリット幅が０．２ｍｍ以上１．２ｍｍ以下であり、且つ、錘部材の貫通穴は、その内径が２．４ｍｍ以上２．５ｍｍ以下であることを特徴とする請求項１、２、３又は４記載のルアー用ヘッド部材。
【請求項７】
前記請求項１、２、３、４、５又は６に記載のルアー用ヘッド部材を構成する錘部材。
【考案の詳細な説明】
【技術分野】
【０００１】
本考案は、主としてルアー本体の先端に配置させて使用する遊動式のルアー用ヘッド部材及び当該ルアー用ヘッド部材を構成する遊動式の錘部材に関する。
【背景技術】
【０００２】
鯛等の魚種を対象とするルアー釣りにおいては、潮の流れの激しい場所であっても速やかに錘を海底へ沈め、ルアーをコントロールする必要がある。
近年、鯛ラバ等と称されるルアー本体（細いゴム材等を複数束ねてハリスに結束された釣り針とともに一体とし、釣糸を接続可能としたもの）の先端に、錘として鯛ラバヘッドや鯛玉等と称されるルアー用ヘッド部材を取り付けた仕掛け等が用いられる。
【０００３】
通常前記ルアー用ヘッド部材は、当該ルアー用ヘッド部材を貫通する穴を備えており、当該穴に釣糸の先端を通し、さらに当該釣糸の先端を前記ルアーに取り付けて使用する。
ルアー用ヘッド部材は釣糸に沿って遊動可能として設けられる。リールで糸を巻いている際には、ルアー用ヘッド部材はルアー本体と当接して一体となっている。ルアー本体に鯛が掛かると、特に鯛等の場合には頭を大きく振ることが多い。この際に錘が釣糸に固定されていると錘と釣糸が擦れ、釣糸が切断されやすいことから、このような状況を避けるべく、ルアー本体が振られると錘部材は釣糸に沿って遊動し、錘部材、ルアー本体間の釣糸に長さを保持させ、負荷を当該釣糸で吸収できるようにするとともに、錘部材の遊動によって釣糸の一点に負荷が集中しないようにする。
当該遊動式のルアー用ヘッド部材は、種々の大きさ（重量）、色等があり、釣果を向上させるべく天候、水深、その他の条件に応じて交換される。
【０００４】
従前はルアー用ヘッド部材の交換の都度、ルアーを取り外す必要があったが、近年においてはルアー用ヘッド部材にスリットや切欠部を設け、場合によってはこれにアダプターを取り付けてこれらに釣糸を通すことで、ルアー用ヘッド部材の交換に際してルアー本体を取り外さなくても釣糸から直接ルアー用ヘッド部材を取り外せるようにするものがある。
【０００５】
具体的な例としては、釣糸を挿通しうる釣糸保持部材と、上記釣糸保持部材が着脱可能に挿通固定される挿通凹部が形成された球状の錘本体とを備えた釣り用錘であって、上記釣糸保持部材は円筒状に形成されると共に係止凸部が形成されている一方、上記錘本体の挿通凹部には、上記係止凸部が着脱可能に係合する係合凹部が形成されていることを特徴とする釣り用錘（例えば、特許文献３参照。）が公知である。
【０００６】
また、上記特許文献３に先立って、ルアー及びルアー用ヘッド部材ではないが、釣針に対して錘部材を遊動式に取り付け、当該釣針を外すことなく交換可能な錘部材について開示する発明、考案がある（例えば、特許文献１、２参照。）
【先行技術文献】
【特許文献】
【０００７】
【特許文献１】実開平１−１６７８７２号公報
【特許文献２】特開２０１０−２３３５３４号公報
【特許文献３】実用新案登録第３１９６４３０号公報
【０００８】
上記特許文献１に係る考案、及び特許文献２に係る発明は、ルアー用ヘッド部材ではなく一般的な釣針を用いた仕掛けにおいて用いられる遊動式（又は選択的に遊動式とすることができる）錘部材である。
当該構成においては、釣針を外すことや釣糸を切断することがなく、錘部材に形成した貫通穴及びスリットと、前記貫通穴に着脱可能な管状部材を備え、スリットから糸を着脱できる点において、利点を有するものである。
【０００９】
しかしながら、上記考案及び発明においては、錘部材の重心位置を通過して貫通穴が形成される構成であり、概ね球状を有する錘部材の重心位置を釣糸が通るため、リールで水中にある釣糸を巻くと、錘部材が容易に回転する。
このため、ルアー用に用いる場合には、錘部材であるルアー用ヘッド部材が回転することとなる。ルアー用ヘッド部材は、リールを巻いている際に、ルアー本体と当接もしくは近接した配置であるから、回転した錘部材によって生じる乱流により、或いは、錘部材とともにルアー本体が回転されることにより、ルアー全体の動きが極めて不安定となり、更に集魚効果が損なわれることにもなる。
【００１０】
上記特許文献３に係る考案は、釣糸を挿通しうる釣糸保持部材と、上記釣糸保持部材が着脱可能に挿通固定される挿通凹部が形成された球状の錘本体とを備えた釣り用錘（錘部材）であって、上記釣糸保持部材は円筒状に形成されると共に係止凸部が形成されている一方、上記錘本体の挿通凹部には、上記係止凸部が着脱可能に係合する係合凹部が形成されていることを特徴とする釣用錘である。
当該構成によれば、錘部材に形成される貫通穴はその重心を通過しない貫通穴であり、筒状部材と錘部材との相互の係止手段を設けた点で、ルアー用ヘッド部材として用いる場合に、安定性が改善され、また筒状部材の脱落が低減されると考えられる。
【００１１】
しかしその一方で、錘部材に形成される大径開口部等の形状は、潮の流れの激しい場所において速やかに錘部材を海底へ沈めるためには不利な形状を有するものであった。
【００１２】
また前記釣糸保持部材は、錘本体と係脱可能な構成とするために合成樹脂等によって形成されるが、当該釣糸保持部材の係止凸部が摩耗しやすく、摩耗が進行すると係止凸部が錘部材から容易に離脱するため、当該不慮の離脱によって錘本体の紛失を招来する点や、釣果への悪影響が生じる点において問題となる。また、上記いずれの特許文献に係る考案においても釣糸保持部材が特別な形状を有するため、釣糸保持部材が紛失等すると、錘全体として使用が不可能となるものであった。
【考案の概要】
【考案が解決しようとする課題】
【００１３】
本考案は以上の事情に鑑みてなされたものであり、ルアー用ヘッド部材の交換が容易に行える従来の機能を確保したうえで、より速やかに当該ルアー用ヘッド部材（及びルアー）を海底に沈めることができ、ルアーのコントロールを行いやすく、更には、管状部材の紛失が生じた場合であっても容易に汎用の管状部材を利用して引き続き使用ができる、優れたルアー用ヘッド部材の提供を、考案が解決しようとする課題とする。
【課題を解決するための手段】
【００１４】
本考案は、以上の事情に鑑みてなされたものであり、貫通穴と該貫通穴の内面から外部へ向けて開口するスリットを備える金属製の錘部材と、前記貫通穴に着脱可能な管状部材とを備える遊動式のルアー用ヘッド部材において、前記貫通穴は錘部材の重心を通過せず、且つ、当該貫通穴は内径が一定のストレート穴であり、前記管状部材は、その直径が前記錘部材の貫通穴の内周面に当接することを特徴とするルアー用ヘッド部材を、上記課題を解決するための手段とする。
【００１５】
また本考案は、上記構成に加えて、前記管状部材は、一端の外面に鍔部を備え、該鍔部は当該管状部材の軸中心に回転非対称形状を有し、且つ前記錘部材の外面に沿う形状であることを特徴とするルアー用ヘッド部材を、上記課題を解決するための手段とする。
【００１６】
また本考案は、上記いずれかの構成に加えて、前記管状部材は、前記貫通穴の両端に対して着脱可能な一対の管状部材であることを特徴とするルアー用ヘッド部材を、上記課題を解決するための手段とする。
【００１７】
また本考案は、上記管状部材が前記貫通穴の両端に対して着脱可能な一対の管状部材である構成に加えて、前記一対の管状部材のうち、竿先側の管状部材の長さ寸法が、釣針側の管状部材の長さ寸法より大であることを特徴とするルアー用ヘッド部材を、上記課題を解決するための手段とする。
【００１８】
また本考案は、上記いずれかの構成に加えて、前記錘部材のスリットは、当該スリットを構成し対抗する縁面相互が平行であり、且つスリット幅が０．２ｍｍ以上３．０ｍｍ以下であることを特徴とするルアー用ヘッド部材を、上記課題を解決するための手段とする。
【００１９】
また本考案は、上記いずれかの構成に加えて、錘部材の貫通穴は、その内径が２．４ｍｍ以上５．０ｍｍ以下であることを特徴とするルアー用ヘッド部材を、上記課題を解決するための手段とする。
【００２０】
また本考案は、上記いずれかに記載のルアー用ヘッド部材を構成する錘部材を、上記課題を解決するための手段とする。
【考案の効果】
【００２１】
本請求項１に係る考案によれば、上記構成としたことによって、貫通穴が錘部材の重心を通過しない偏心した構成によって当該錘部材が回転することがなく、当該錘部材及びルアー本体の水中での挙動の安定性の高さを確保したうえで、ストレート穴とストレートの管状部材との組み合わせにより密着性を高めることにより、外形全体に大きな起伏や間隙を形成しないものとしたことから、必要な機能を確保したうえで、水中でのルアー用ヘッド部材の落下時において、より潮の流れの影響を低減でき、より速やかに海底に沈めることができる。
またストレートの管状部材を使用できるため、万一管状部材の紛失が生じた場合であっても、汎用される樹脂製の管状部材を適切な長さに切断して用いることができ、引き続き使用できる利点を有する。
【００２２】
また請求項２に係る考案によれば、上記ルアー用ヘッド部材の構成に加えて、前記管状部材は、一端の外面に鍔部を備え、該鍔部は当該管状部材の軸中心に回転非対称形状を有し、且つ前記錘部材の外面に沿う形状としたことから、従来と同様に鍔部を備えること自体によって錘部材から管状部材を取り外す際の容易性が確保できることに加えて、錘部材の外形の曲面に当接した状態で回動が抑止されるとともに、外形全体に対する変形を抑えることによって、更に潮の流れ等の影響を低減し、速やかに海底に沈めることが可能となるルアー用ヘッド部材とすることができる。
【００２３】
また請求項３に係る考案によれば、上記いずれかのルアー用ヘッド部材の構成に加えて、前記管状部材は、前記貫通穴の両端に対して着脱可能な一対の管状部材としたから、上記考案の作用効果を奏する上に、両端のいずれの側においても一端側からの引張負荷に対して他端側の管状部材がより抜け防止に有効に作用するため、より錘部材の紛失を抑制できる。また錘部材の両端において、管状部材がそれぞれ鍔部を備え、該鍔部は当該管状部材の軸中心に回転非対称形状を有し、且つ前記錘部材の外面に沿う形状となる場合には、当該両端位置において、鍔部が回転非対称形状によって錘部材の外形の曲面に当接した状態となることで当該鍔部の回動が抑止され、当該管状部材の回動が抑止できる。
【００２４】
また請求項４に係る考案によれば、上記管状部材が前記貫通穴の両端に対して着脱可能な一対の管状部材である構成に加えて、前記一対の管状部材のうち、竿先側の管状部材の長さ寸法が、釣針側の管状部材の長さ寸法より大である構成としたから、上記いずれかの考案の作用効果を奏する上に、リールで糸を巻き上げる際、即ち、釣りにおいて通常発生しやすい竿先側における当該管状部材と貫通穴に対する負荷に対して、当該管状部材と貫通穴との接触面積を十分に確保でき、より管状部材の脱落を抑制できる。
【００２５】
また請求項５に係る考案によれば、上記いずれかのルアー用ヘッド部材の構成に加えて、前記錘部材のスリットは、当該スリットを構成し対抗する縁面相互が平行であり、当該スリット幅が０．２ｍｍ以上３．０ｍｍ以下で、且つ、錘部材の貫通穴は、その内径が２．４ｍｍ以上５．０ｍｍ以下であるルアー用ヘッド部材としたから、上記いずれかの考案の作用効果を奏する上に、釣糸の直径のサイズに応じてスリットから釣糸を導入、導出させることができる。また、ルアー本体の先端に結び目を含む二本以上の釣糸が同時に通る場合であっても、これに対応する内径を有する管状部材を適用できるものとし、利便性を向上させることができる。
【００２６】
また請求項６に係る考案によれば、上記請求項１から請求項４のいずれかのルアー用ヘッド部材の構成に加えて、前記錘部材のスリットは、当該スリットを構成し対抗する縁面相互が平行であり、当該スリット幅が０．２ｍｍ以上１．２ｍｍ以下で、且つ、錘部材の貫通穴は、その内径が２．４ｍｍ以上２．５ｍｍ以下であるルアー用ヘッド部材としたルアー用ヘッド部材としたから、上記請求項１から請求項４のいずれかのルアー用ヘッド部材の作用効果を奏する上に、スリット幅が釣糸の通過が可能となる最小限度の寸法として、水中でのルアー用ヘッド部材の落下時における乱流の発生をより抑制し、より潮の流れの影響を低減でき、より速やかに海底に沈めることができる。
【００２７】
また請求項７に係る考案によれば、上記いずれかのルアー用ヘッド部材を構成するための錘部材としたから、貫通穴が錘部材の重心を通過しない偏心した構成によって当該錘部材が回転することがなく、当該錘部材及びルアー本体の水中での挙動の安定性の高さを確保したうえで、ストレートの管状部材と組み合わせることで、ストレート穴とストレート管状部材との組み合わせにより密着性を高めることにより、外形全体に大きな起伏や間隙を形成しないものとでき、水中でのルアー用ヘッド部材の落下時において、より潮の流れの影響を低減でき、より速やかに海底に沈めることができる。
【図面の簡単な説明】
【００２８】
【図１】本考案の実施例に係るルアー用ヘッド部材を構成する錘部材を示す（ａ）正面図、（ｂ）右側面図、（Ｃ）平面図、（ｄ）底面図、（ｅ）Ａ−Ａ断面図、（ｆ）Ｂ−Ｂ断面図である。
【図２】本考案の実施例に係るルアー用ヘッド部材を構成する管状部材を示す（ａ）側面図、（ｂ）その拡大縦断面図、並びに（ｃ）当該管状部材と、錘部材及び釣糸との関係を示す斜視図である。
【図３】（ａ）錘部材のスリットに釣糸を差込んで貫通穴にガイドさせた状態を示す一部縦断面図、（ｂ）錘部材の貫通穴に管状部材を挿通させた状態を示す一部縦断面図である。
【図４】本考案の実施例１に係るルアー用ヘッド部材を示す（ａ）正面図、（ｂ）左側面図、（ｃ）平面図、（ｄ）底面図、（ｅ）背面図である。
【図５】本考案の実施例１に係るルアー用ヘッド部材を、公知のルアー本体（タイプ１）に取着した状態を示す説明図である。
【図６】本考案の実施例２に係るルアー用ヘッド部材を示す（ａ）正面図（又は背面図）、（ｂ）左側面図（又は右側面図）、（ｃ）平面図、（ｄ）底面図、（ｅ）一対の管状部材相互が当接する長さとした他の実施例に係るルアー用ヘッド部材を示す平面図である。
【図７】本考案のルアー用ヘッド部材における一対の管状部材のうち（ａ）長さが共通する一対の管状部材を示す縦断面図、（ｂ）竿先側の管状部材を釣針側の管状部材よりも長く形成した一対の管状部材を示す縦断面図である。
【図８】本考案の他の実施例に係るルアー用ヘッド部材を、公知のルアー本体（タイプ２）に（ａ）取着する直前の状態、（ｂ）取着した状態を示す説明図である。
【図９】公知のルアー本体（ａ）タイプ１、（ｂ）タイプ２を示す説明図である、
【考案を実施するための形態】
【００２９】
本考案の実施例に係るルアー用ヘッド部材について説明する。本考案は以下の実施例に限定されるものではなく、本考案の技術的思想を逸脱しない範囲において種々の設計変更した形状、構造、組合せに及ぶ。
【００３０】
尚、本考案に係るルアー用ヘッド部材１は、使用する公知のルアー本体４のタイプによって選択的、又は兼用して使用できる。
以下に示す実施例１に係るルアー用ヘッド部材１は、ルアー本体４におけるハリス４１、ネクタイ４２ａ、スカート４２ｂ等の水中での揺動部材の各基端等を連結するジョイント部材自体に釣糸５を通すための糸通し穴４４を有したもの等（以下、「第一ルアー本体４Ａ」という。図９（ａ）参照。）に適するものである。
また、後記する実施例２に係るルアー用ヘッド部材１は、他のルアー本体のタイプ、即ち、ハリス４１、揺動部材４２等を結束した位置から上方へループ部４３を設け、該ループ部４３の上端位置に釣糸５を締結するようにしたルアー本体（以下、「第二ルアー本体４Ｂ」という。図９（ｂ）参照。）に適応可能としたものである。
【実施例１】
【００３１】
本考案の実施例１に係るルアー用ヘッド部材１は、図１の（ａ）から（ｆ）の各図によって特定される錘部材２と、図２（ａ）（ｂ）に示す管状部材３とによって構成される。
【００３２】
前記錘部材２は図１に示すように、概ね球状体となる鉛製若しくはタングステン製の部材である。より詳しくは、正面における外形輪郭が左右方向を短径、上下方向を長径とする楕円であり、側面における外形輪郭が略正円となる形状を有している。正面側の中央よりやや上方位置から背面側の同位置までを貫通する貫通穴２１を有する。このため、当該貫通穴は、錘部材２の重心を通過しない構成である。本実施例における貫通穴２１の内径は一定で、２．４ｍｍとしてある。
【００３３】
また、当該貫通穴２１の内面から当該錘部材２の上面へ向けてスリット２０を設けてある。スリット２０のスリット幅ｗ（即ちスリット２０を構成する相互に対向した縁面２３の相互間の距離）は１．０ｍｍとしてある。
【００３４】
当該錘部材２の左側面及び右側面には、反射シート２４が耐水性接着剤を用いて固着されている（例えば、図１（ａ）から（ｄ）参照。）。当該反射シート２４は集魚効果を高めることを目的とするものである。
【００３５】
前記管状部材３は前記錘部材２の貫通穴２１に対して取着されるものである。管状部材３は図２（ｂ）に示すように、通路穴３１を有している。当該管状部材３の外径は、前記貫通穴２１の内径に適合する２．４ｍｍとしてある。また管状部材３の長さ寸法は貫通穴２１の長さ寸法より大としてある。
【００３６】
そして、同図２に示すように、当該管状部材３の一端には鍔部３０を形成してある。鍔部３０は、管状部材３の当該端部を加熱処理により変形させてなるものである。
前記鍔部３０は、当該管状部材３の中心軸に対して回転非対称形状であり、且つ、当該錘部材２の外面（即ち曲面）に沿う形状に形成されている。尚、当該鍔部３０は、管状部材３の端部に対して設備等の加工手段によって行うこともできるし、加熱手段に対して手作業で形成することもできる。
管状部材３は、回転非対称形状を有し、これによってより錘部材２の外面に沿う形状としたことで、不要な当該管状部材３の回転が抑制され、その結果当該管状部材３の不用意な脱落を抑制できる利点を有する。
【００３７】
以上の実施例１に係るルアー用ヘッド部材１の釣糸５に対する取付は、先ず、釣糸５の先端側から管状部材３を通す。管状部材３は釣糸５に対して差し込み側とは反対側（即ち、ルアー本体側）に前記鍔部３０を配置する。次いで当該釣糸５の先端部を、前記第一ルアー本体４Ａ（図９参照。）の糸通し穴４４に結び付ける。
【００３８】
そして、錘部材２のスリット２０に対して釣糸５を案内し、スリット２０から繋がる貫通穴２１内に釣糸５を落とし込む（図２（ｃ）及び図３（ａ）参照。）。この状態で当該ルアー用ヘッド部材１の貫通穴２１の開口に向けて管状部材３を差し込むことでルアー用ヘッド部材１を一体として、釣糸５に取着できる（図３（ｂ）参照。）。
管状部材３内を釣糸５が通る構成であることから、釣糸５に対して当該ルアー用ヘッド部材１は当該図３（ｂ）で矢印に示すように、釣糸５に沿って遊動自在となる。
【００３９】
錘部材２の取り換えに際しては、ルアー用ヘッド部材１における管状部材３を当該錘部材２から脱着すればよく、当該操作によって釣糸５は貫通穴２１側からスリット２０を介して導出でき、当該錘部材２を釣糸５から取り外すことができる。
【００４０】
本実施例１に係るルアー用ヘッド部材１は、一本の釣糸５のみを通過させ、且つ当該釣糸５に対して遊動自在とする構成であるから、当該機能を確保した上で、当該ルアー用ヘッド部材１の水中での落下性能を高める必要がある。このため、特に当該ルアー用ヘッド部材１の外形に影響を与えないことが望ましく、当該観点からすればスリット幅ｗは０．２ｍｍ以上１．２ｍｍ以下であることが望ましい。また重心を通らないストレート形状を確保しつつ略球状体を保持する観点から、前記スリットに対応する貫通穴は内径が２．４ｍｍ〜２．５ｍｍ程度であることが好ましい。
０．２ｍｍ未満の場合、一般的な釣糸５の線径未満となるため、釣糸５への取付ができなくなり、好ましくない。
【実施例２】
【００４１】
本考案の実施例２に係るルアー用ヘッド部材１は、図６（ａ）から（ｄ）、図７（ａ）に示すように、貫通穴２１及びこれに通じるスリット２０を有する一の錘部材２と、当該錘部材２の前記貫通穴２１の両端部に対して着脱可能な一対の管状部材３を備えたものである。本実施例２においては、一対の管状部材について、若干の変形として、図６（ｅ）のように、一対の管状部材の端部相互が当接する構成とするものも含む。また、図７（ｂ）のように一対の管状部材の長さを異なるものとするものも含む。
また、錘部材２については、スリット２０、貫通穴２１の寸法は実施例１と相違するものの、基本構成においては共通する。
【００４２】
また、本実施例２に係るルアー用ヘッド部材１の管状部材３における通路穴３１の内径は、前記第二ルアー本体４Ｂのループ部４３及び該ループ部４３と釣糸５との結び目５０が通過可能となる寸法が確保されている。そして、当該寸法を確保した管状部材３と着脱可能となるように、錘部材２における貫通穴２１が形成される。
また、錘部材２のスリット２０においても、第二ルアー本体４Ｂのループ部４３及び該ループ部４３と釣糸５との結び目５０が通過可能となる寸法を確保して形成してある。
【００４３】
本実施例２に係るルアー用ヘッド部材１における一対の管状部材３は、いずれも一端に鍔部３０を備えている。鍔部３０は実施例１と同様に、回転非対称形状を有しており、錘部材２の外面に沿う形状としてある。
【００４４】
本実施例２（上記変形を含む。）においては、図８（ａ）に示すように、一対の管状部材３を対向させた状態とし、順次釣糸５を挿通する。そして同図（ｂ）に示すように、各管状部材３の間に錘部材２を配置させ、そのスリット２０に釣糸５を落とし込んだうえで、当該錘部材２の両端に開口した貫通穴２１に対して、各管状部材３を挿入固定する。
管状部材３内を釣糸５が通る構成であることから、釣糸５に対して当該ルアー用ヘッド部材１は当該図３（ｂ）で矢印に示すように、釣糸５に沿って遊動自在となる。
【００４５】
当該両端位置において、鍔部３０が回転非対称形状によって錘部材２の外形の曲面に当接した状態となることで当該鍔部３０の回動が抑止され、当該管状部材３の回動が抑止できる。また釣糸５に対するいずれの移動方向についても管状部材３と貫通穴２１との接触面積を保持することで、不用意な離脱を抑制することができる。
【００４６】
また上記のように、本実施例２の変形例として、また、図７（ｂ）のように一対の管状部材の長さを異なるものとするについては、竿先側に配置される管状部材３を、釣針側に配置される管状部材３よりも長く形成することができる。当該構成によって、当該管状部材３に対して負荷がかかりやすいリールの巻き上げ時において、当該管状部材３と貫通穴との接触面積を保持し、不用意な離脱を抑制できる。
【００４７】
本実施例２に係るルアー用ヘッド部材１は、実施例１と同様に、一本の釣糸５のみを通過させ、且つ当該釣糸５に対して遊動自在とする構成であるから、当該機能を確保した上で、当該ルアー用ヘッド部材１の水中での落下性能を高める必要がある。またこれに加えて、前記第二ルアー本体に対応する必要性がある。
以上からすると、スリット幅ｗは０．２ｍｍ以上３．０ｍｍ以下であることが望ましい。また重心を通らないストレート形状を確保しつつ略球状体を保持する観点から、前記スリットに対応する貫通穴は内径が２．４ｍｍ〜５．０ｍｍ程度であることが好ましい。
【００４８】
また、本考案に係るルアー用ヘッド部材１における錘部材２の構成材料は鉛、タングステンに限定されない。更に適した素材が開発されれば当該素材を適用することもできる。
また複数の構成材料からなるものとすることもでき、例えば、上半分を鉛製、下半分をタングステン製とすることもできる。
【００４９】
上記の他、本考案に係るルアー用ヘッド部材１は、実施に際して、例えば上記の錘部材２と管状部材３を取り外した状態とし、パッケージ化したキットとすることができる。
更に、管状部材３の両端を未加熱状態（即ち、一端に鍔部３０を形成していない単純な管状体）としてキットとして同梱し、使用者が仕掛けを作成する際に、パッケージに同梱若しくは印刷した説明書に従って、管状部材３の一端の加熱処理を行うものとするキットとすることもできる。
【００５０】
また、予め一端を加熱処理して鍔部３０を形成した管状部材３、若しくは未加熱状態の管状体は、ルアー用ヘッド部材の構成部品として補充可能とすることができる。
【符号の説明】
【００５１】
１        ルアー用ヘッド部材
２        錘部材
２０      スリット
２１      貫通穴
２２      縁面
３        管状部材
３０      鍔部
３１      通路穴
４Ａ      （公知の）第一ルアー本体
４Ｂ      （公知の）第二ルアー本体
４０      釣針
４１      ハリス
４２      搖動部材
４２ａ    ネクタイ
４２ｂ    スカート
４３      ループ部
４４      糸通し穴
５        釣糸
５０      結び目
ｗ        スリット幅
【図１】
0003205185.tif 000003
【図２】
0003205185.tif 000004
【図３】
0003205185.tif 000005
【図４】
0003205185.tif 000006
【図５】
0003205185.tif 000007
【図６】
0003205185.tif 000008
【図７】
0003205185.tif 000009
【図８】
0003205185.tif 000010
【図９】
0003205185.tif 000011